(57)【特許請求の範囲】
【請求項１】
複数の画素を有する電気光学装置であって、
前記複数の画素の中から第1の画素を選択し、前記第１の画素の表示状態を第１の表示状態から第２の表示状態に変化させる場合において、
前記第１の画素の表示状態を前記第１の表示状態とした後、前記第１の表示状態に対応する画像データと前記第２の表示状態に対応する画像データとの差分データを生成し、前記差分データを前記第１の画素に供給することにより前記第１の画素を前記第２の表示状態とし、
前記複数の画素の中から複数の第２の画素を選択し、前記複数の第２の画素のうち少なくとも１つの第２の画素の表示状態を第３の表示状態から第５の表示状態に変化させる場合において、
前記少なくとも１つの第２の画素の表示状態を第３の表示状態とした後、前記少なくとも１つの第２の画素にリセットデータを供給することにより前記少なくとも１つの第２の画素を第４の表示状態とした後に、前記少なくとも１つの第２の画素に前記第５の表示状態に対応する画像データを供給することにより前記少なくとも１つの第２の画素を前記第５の表示状態とすることを特徴とする電気光学装置。
【請求項２】
前記複数の第２の画素は、前記複数の画素の中に空間的に分散されている複数の画素であることを特徴とする請求項１に記載の電気光学装置。
【請求項３】
前記複数の画素の各々は、画素電極、前記画素電極に接続されたスイッチング素子、及び前記画素電極と対向した共通電極と前記画素電極との間に電気泳動粒子を含有する分散系を備え、
前記複数の画素の各々の表示状態を変更する処理は、前記共通電極と前記画素電極との間に印加された電圧を用いて前記電気泳動粒子を移動させて表示状態を変更する処理であることを特徴とする請求項１又は２に記載の電気光学装置。
【請求項４】
前記複数の画素の各々は、所定期間内に少なくとも１度前記複数の第２の画素として選択されることを特徴とする請求項１〜３のいずれか１項に記載の電気光学装置。
【請求項５】
前記少なくとも１つの第２の画素に前記リセットデータを供給する処理は、前記画素電極または前記共通電極のいずれか一方の電極に前記電気泳動粒子を引き寄せる処理であることを特徴とする請求項１〜４のいずれか１項に記載の電気光学装置。
【請求項６】
前記複数の第２の画素のうち、近接する第２の画素に対して前記リセットデータを供給する場合、一方の第２の画素においては、前記一方の第２の画素の電気泳動粒子を前記一方の第２の画素の画素電極に引き寄せ、他方の第２の画素においては、前記他方の第２の画素の電気泳動粒子を前記共通電極へ引き寄せることを特徴とする請求項５に記載の電気光学装置。
【請求項７】
前記第２の表示状態に対応する画像データに所定値以上の表示濃度を表示させるためのデータが含まれる場合には、前記第１の画素に対して前記リセットデータを供給することにより前記第１の画素を前記第４の表示状態とすることを特徴とする請求項１〜６のいずれか１項に記載の電気光学装置。
【請求項８】
前記少なくとも１つの第２の画素の表示状態を前記第３の表示状態から前記第５の表示状態に変化させる処理は、前記少なくとも１つの第２の画素に前記リセットデータを供給することにより前記少なくとも１つの第２の画素を前記第４の表示状態とする画素のリセット処理のみの前フレーム期間と、前記少なくとも１つの第２の画素に前記第５の表示状態に対応する画像データを供給することにより前記少なくとも１つの第２の画素を前記第５の表示状態する後フレーム期間とから構成されることを特徴とする請求項１〜７のいずれか１項に記載の電気光学装置。
【請求項９】
複数の画素を有する電気光学装置の駆動方法であって、
前記複数の画素の中から第1の画素を選択し、前記第１の画素の表示状態を第１の表示状態から第２の表示状態に変化させる場合において、
前記第１の画素の表示状態を前記第１の表示状態とした後、前記第１の表示状態に対応する画像データと前記第２の表示状態に対応する画像データとの差分データを生成し、前記差分データを前記第１の画素に供給することにより前記第１の画素を前記第２の表示状態とし、
前記複数の画素の中から第２の画素を選択し、前記第２の画素の表示状態を第３の表示状態から第５の表示状態に変化させる場合において、
前記第２の画素の表示状態を第３の表示状態とした後、前記第２の画素にリセットデータを供給することにより前記第２の画素を第４の表示状態とした後に、前記第２の画素に前記第５の表示状態に対応する画像データを供給することにより前記第２の画素を前記第５の表示状態とすることを特徴とする電気光学装置の駆動方法。
【請求項１０】
前記第２の画素の表示状態を前記第３の表示状態から前記第５の表示状態に変化させる処理は、前記第２の画素に前記リセットデータを供給することにより前記第２の画素を前記第４の表示状態とする画素のリセット処理のみの前フレーム期間と、前記第２の画素に前記第５の表示状態に対応する画像データを供給することにより前記第２の画素を前記第５の表示状態する後フレーム期間とから構成されることを特徴とする請求項９に記載の電気光学装置の駆動方法。
【請求項１１】
請求項１〜８のいずれか１つに記載の電気光学装置を実装したことを特徴とする電子機器。
【発明の詳細な説明】
【０００１】
【発明の属する技術分野】
本発明は、電気泳動粒子を含有する分散系を封入した複数の分割セルから構成された電気光学装置に関する。
【０００２】
【従来の技術】
非発光型の表示デバイスとして、電気泳動現象を利用した電気泳動表示装置が知られている。ここで、電気泳動現象とは、液体中（分散媒）に微粒子（電気泳動粒子）を分散させた分散系に、電界を印加したときに粒子がクーロン力により泳動する現象である。
【０００３】
このような電気泳動表示装置は、一方の電極と他方の電極とを所定の間隔で対向させ、その間に分散系を封入した分割セルを配置して構成されている。そして、電気泳動表示装置は、分散系に電界を印加するための周辺回路を備えている。ここで、分散媒を染料で染色するとともに電気泳動粒子を顔料粒子で構成すれば、観測者には、電気泳動粒子の色または染料の色が見えることになる。
【０００４】
そして、アクティブマトリックス形式で駆動する電気泳動表示装置の構成が提案されている（例えば、特許文献１参照。）。これによれば、まず、リセット期間に各画素電極にリセット電圧を書き込む。次に、書込期間にあっては、画像データの指示する階調値に応じた期間だけ、各画素電極に印加電圧を印加する。この後、各画素電極に共通電極電圧を書き込む。これにより、画素容量に蓄積された電荷を放電し、この後、表示画像を保持する。
【０００５】
この場合、表示を更新する際のリセット処理時に、電気泳動粒子の空間的な状態は一旦初期化される。例えば、分散媒が黒色に着色されており、電気泳動粒子が白色であるとすれば、画面全体が暗転（黒）することになる。人の視覚は短時間の変化を検知することができないので、リセット処理に要する期間が短ければ、リセット処理を気にせず動画を表示することも可能である。しかしながら、分散系の物理的な性質によっては、リセット処理に長い時間を必要とし、電気泳動粒子の初期化に伴う表示濃度の変化が検知されることもある。
【０００６】
そこで、特許文献１には、このような不都合を解消するために、次に表示するべき階調に対応する電気泳動粒子の平均位置と、現在表示中の階調に対応する電気泳動粒子の平均位置との差分に相当する電圧を、両電極間に一定時間、印加する構成が開示されている。これにより、リセット処理を行なうことなく、表示画面の更新が可能となり、動画を効率的に表示することができる。
【０００７】
【特許文献１】
特開２００２−１１６７３４号公報（図３、図１９）
【０００８】
【発明が解決しようとする課題】
しかし、差分電圧を利用する電気泳動表示装置においては、電気泳動粒子の位置にずれ（ドリフト）が生じた場合、そのドリフトを次の表示においても引き継ぐことになる。この場合、正確な表示を行なうことができない。さらに、このドリフトが重なり、助長される場合もある。
【０００９】
また、定期的にリセット処理を実行してドリフトの補正を行なうことも可能であるが、電気泳動表示パネル全体を同時にリセットしたのでは、リセット処理時の表示濃度の変化が検知されることもある。
【００１０】
本発明は上記問題点を解決するためになされたものであり、その目的は、より高い表示品質を維持する電気光学装置、電気光学装置の駆動方法および電子機器を提供することにある。
【００１１】
【課題を解決するための手段】
本発明における電気光学装置は、複数の画素を有する電気光学装置であって、前記複数の画素の中から第1の画素を選択し、前記第１の画素の表示状態を第１の表示状態から第２の表示状態に変化させる場合において、前記第１の画素の表示状態を前記第１の表示状態とした後、前記第１の表示状態に対応する画像データと前記第２の表示状態に対応する画像データとの差分データを生成し、前記差分データを前記第１の画素に供給することにより前記第１の画素を前記第２の表示状態とし、前記複数の画素の中から複数の第２の画素を選択し、前記複数の第２の画素のうち少なくとも１つの第２の画素の表示状態を第３の表示状態から第５の表示状態に変化させる場合において、前記少なくとも１つの第２の画素の表示状態を第３の表示状態とした後、前記少なくとも１つの第２の画素にリセットデータを供給することにより前記少なくとも１つの第２の画素を第４の表示状態とした後に、前記少なくとも１つの第２の画素に前記第５の表示状態に対応する画像データを供給することにより前記少なくとも１つの第２の画素を前記第５の表示状態とする。
【００１２】
これによれば、第１の画素に対しては、先に表示した画像データと次に表示する画像データとの差分データに基づいて表示処理が行なわれるため、リセット処理を省略し、効率的に画像表示を行なうことができる。また、第２の画素に対しては、画素のリセット処理後に表示処理が行なわれる。従って、差分データに基づく処理のために生じるドリフトを補正できる。この場合、画素の中で部分的に第２の表示処理が行なわれるため、リセット処理による表示濃度の変化を抑制することができる。
【００１３】
この電気光学装置において、前記複数の画素の中に空間的に分散されている複数の画素である。
【００１４】
これによれば、リセット処理を空間的に分散して行なうことができるため、リセット処理による表示濃度の変化を抑制できる。
【００１５】
この電気光学装置において、前記複数の画素の各々は、画素電極、前記画素電極に接続されたスイッチング素子、及び前記画素電極と対向した共通電極と前記画素電極との間に電気泳動粒子を含有する分散系を備え、前記複数の画素の各々の表示状態を変更する処理は、前記共通電極と前記画素電極との間に印加された電圧を用いて前記電気泳動粒子を移動させて表示状態を変更する処理である。
【００１６】
これによれば、差分データに基づく処理のために生じるドリフトの補正を行いながら画素の中で部分的にリセット処理を行なうことにより、リセットよる表示濃度の変化を抑制することができる。
【００１７】
この電気光学装置において、前記複数の画素の各々は、所定期間内に少なくとも１度前記複数の第２の画素として選択される。
【００１８】
これによれば、所定期間内に画素全体にわたって画素のリセット処理を行なうことができる。
【００１９】
この電気光学装置において、前記少なくとも１つの第２の画素に前記リセットデータを供給する処理は、前記画素電極または前記共通電極のいずれか一方の電極に前記電気泳動粒子を引き寄せる処理である。
【００２０】
これによれば、リセット時の表示濃度が平均化され、リセット処理による表示濃度の変化を平均化させることができる。
【００２１】
この電気光学装置において、前記複数の第２の画素のうち、近接する第２の画素に対して前記リセットデータを供給する場合、一方の第２の画素においては、前記一方の第２の画素の電気泳動粒子を前記一方の第２の画素の画素電極に引き寄せ、他方の第２の画素においては、前記他方の第２の画素の電気泳動粒子を前記共通電極へ引き寄せる。
【００２２】
これによれば、リセット処理による表示濃度の変化を、より平均化させることができる。
【００２３】
前記第２の表示状態に対応する画像データに所定値以上の表示濃度を表示させるためのデータが含まれる場合には、前記第１の画素に対して前記リセットデータを供給することにより前記第１の画素を前記第４の表示状態とする。
【００２４】
これによれば、リセット状態に近い表示を行なう画素に対しては、効率的に第２の表示処理を実行できる。
【００２５】
この電気光学装置において、前記少なくとも１つの第２の画素の表示状態を前記第３の表示状態から前記第５の表示状態に変化させる処理は、前記少なくとも１つの第２の画素に前記リセットデータを供給することにより前記少なくとも１つの第２の画素を前記第４の表示状態とする画素のリセット処理のみの前フレーム期間と、前記少なくとも１つの第２の画素に前記第５の表示状態に対応する画像データを供給することにより前記少なくとも１つの第２の画素を前記第５の表示状態する後フレーム期間とから構成される。
【００２６】
これによれば、同一画素へのリセットと表示データの連続書込みがなくなり、時間的マージンが生まれ、回路構成を簡素にすることができる。
【００２７】
本発明における電気光学装置の駆動方法は、複数の画素を有する電気光学装置の駆動方法であって、前記複数の画素の中から第1の画素を選択し、前記第１の画素の表示状態を第１の表示状態から第２の表示状態に変化させる場合において、前記第１の画素の表示状態を前記第１の表示状態とした後、前記第１の表示状態に対応する画像データと前記第２の表示状態に対応する画像データとの差分データを生成し、前記差分データを前記第１の画素に供給することにより前記第１の画素を前記第２の表示状態とする段階と、前記複数の画素の中から第２の画素を選択し、前記第２の画素の表示状態を第３の表示状態から第５の表示状態に変化させる場合において、前記第２の画素の表示状態を第３の表示状態とした後、前記第２の画素にリセットデータを供給することにより前記第２の画素を第４の表示状態とした後に、前記第２の画素に前記第５の表示状態に対応する画像データを供給することにより前記第２の画素を前記第５の表示状態とする段階とを有する。
【００２８】
これによれば、第１の画素に対しては、先に表示した画像データと次に表示する画像データとの差分データに基づいて表示処理が行なわれるため、リセット処理を省略し、効率的に画像表示を行なうことができる。また、第２の画素に対しては、画素のリセット処理後に表示処理が行なわれる。従って、差分データに基づく処理のために生じるドリフトを補正できる。この場合、画素の中で部分的にリセット処理が行われるため、リセット処理による表示濃度の変化を抑制することができる。
【００２９】
この電気光学装置の駆動方法において、前記第２の画素の表示状態を前記第３の表示状態から前記第５の表示状態に変化させる処理は、前記第２の画素に前記リセットデータを供給することにより前記第２の画素を前記第４の表示状態とする画素のリセット処理のみの前フレーム期間と、前記第２の画素に前記第５の表示状態に対応する画像データを供給することにより前記第２の画素を前記第５の表示状態する後フレーム期間とから構成される。
【００３０】
これによれば、同一画素へのリセットと表示データの連続書込みがなくなり、時間的マージンが生まれ、回路構成を簡素にすることができる。
【００３１】
本発明における電子機器は、請求項１〜８のいずれか１つに記載の電気光学装置を実装した。
【００３２】
これによれば、電子機器は低消費電力と十分な表示品位を両立することができる。
【００３３】
【発明の実施の形態】
（第１の実施形態）
以下、本発明を具体化した第１の実施形態を、図１〜図７に従って説明する。本実施形態における電気光学装置としての電気泳動表示装置は電気泳動表示パネルと周辺回路とを備えている。まず、図１に示す電気泳動表示パネルの部分断面図を用いて説明する。図１に示すように電気泳動表示パネルは、画素電極１０４等が形成された半導体等の素子基板１００と、平面状の共通電極２０１等が形成された対向基板２００とから構成されている。素子基板１００と対向基板２００とは一定の間隙を保って各々の電極形成面が対向するように貼り合わされている。この間隙には、分散系１０を内包する分割セル１５が設けられている。この分割セル１５には、マイクロカプセルを用いることも可能である。
【００３４】
この分散系１０は、分散媒１１に電気泳動粒子１２を分散させたものである。分散系１０では、電気泳動粒子１２の重力による沈降等を避けるため、分散媒１１の比重と電気泳動粒子１２の比重とがほぼ等しくなるように設定されている。ここで、分散媒１１を着色するとともに電気泳動粒子１２を着色粒子で構成する。分散媒１１の着色には染料や顔料を用いることができる。ここでは染料で着色しているとして説明する。以下、分散系１０の分散媒１１は黒色に着色されており、電気泳動粒子１２は酸化チタン等の白色の粒子で、かつ正電荷が帯電しているものとする。
【００３５】
素子基板１００の表面には、表示領域と、周辺回路を設けた周辺領域とが設けられている。表示領域には画素電極１０４の他に、後述する走査線、データ線およびスイチッング素子として機能する薄膜トランジスタ（Thin Film Transistor：以下、ＴＦＴと称する）が形成されている。一方、素子基板１００の周辺領域には、後述する走査線駆動回路やデータ線駆動回路等が設けられている。
【００３６】
次に、画素電極１０４に電圧を印加した場合の作用を説明する。画素電極１０４と共通電極２０１との電極間に電位差を与えると電界が生じる。これにより帯電した電気泳動粒子１２はどちらか一方の電極に引き寄せられる。そして、共通電極２０１および対向基板２００として透過性を有する材料を用いた場合、電気泳動粒子１２の色または分散媒１１の色が見える。これにより、各電極に印加する電圧を制御することによって画像を表示することができる。
【００３７】
次に、階調表示の原理を説明する。初期状態から、表示すべき階調に応じた正極性の電圧を画素電極１０４に印加する。この場合、電界によって電気泳動粒子１２は共通電極２０１側に移動する。所定時間の経過後に、両電極間の電位差をゼロにすると電界が作用しなくなり、電気泳動粒子１２は分散媒１１の粘性抵抗によって停止する。この場合、電気泳動粒子１２の移動速度は電界強度、すなわち印加電圧によって決まる。そして、電気泳動粒子１２の移動距離は、印加電圧と印加時間に応じて定まることになる。したがって、電圧印加時間を一定にすれば、印加電圧を調整することによって、電気泳動粒子１２の厚さ方向の位置を制御できる。
【００３８】
共通電極２０１側から入射した光は電気泳動粒子１２によって反射され、この反射光が共通電極２０１を通過して観測される。入射光と反射光は分散媒１１によって吸収され、その吸収の程度は光路長に比例する。したがって、共通電極２０１から観察した場合、電気泳動粒子１２の位置によって階調を定めることができる。上述したように、印加時間を一定にしたとき電気泳動粒子１２の位置は印加電圧に応じて定まるから、印加電圧を調整することにより所望の階調表示を行なうことができる。
【００３９】
図２は電気泳動表示装置の電気的な構成を示すブロック図である。素子基板１００の表面には、電気泳動表示パネルＡとその周辺領域とが設けられている。本実施形態では、移動度の高い素子（低温ポリシリコン等）を想定して周辺領域にある駆動回路を一体として構成するが、移動度の低い素子（アモルファスシリコン等）を用いることも可能である。この場合には駆動回路は、移動度の高い素子（単結晶シリコン等）で構成し、電気泳動表示パネルＡに接続することにより実現できる。本実施形態の電気泳動表示パネルＡは複数の画素から構成され、この画素を構成する電気的要素には、スイッチング素子としてのＴＦＴ１０３や、これに接続された画素電極１０４を含む。
【００４０】
素子基板１００の電気泳動表示パネルＡには、Ｘ方向に沿って平行に複数本の走査線１０１が形成され、また、これと直交するＹ方向に沿って平行に複数本のデータ線１０２が形成されている。そして、各画素は走査線１０１とデータ線１０２との交差に対応してマトリックス状に配列されている。これらの各交差点においては、ＴＦＴ１０３のゲート電極が走査線１０１に接続される一方、そのソース電極がデータ線１０２に接続されている。さらに、ＴＦＴ１０３のドレイン電極が画素電極１０４に接続されている。
【００４１】
素子基板１００の周辺領域には、走査線駆動回路１３０、データ線駆動回路１４０及びコントローラ３００が設けられている。コントローラ３００は、パーソナルコンピュータ等の外部回路からの信号を受けて、駆動周期に合わせた画像信号に変換し、この変換信号を各駆動回路（１３０、１４０）に出力するための制御手段として機能する。このコントローラ３００は画像信号処理回路およびタイミングジェネレータを含んでいる。ここで、画像信号処理回路は、画像信号としての画像データＤ、リセットデータＤrestを生成し、データ線駆動回路１４０に入力する。リセットデータＤrestは、分散系１０中を泳動している電気泳動粒子１２を一方の電極側に引き寄せ、その空間的な状態を初期化するために用いられる。また、画像データＤは電気泳動表示パネルＡの電気的な特性に対応した補正処理を施して生成される。また、タイミングジェネレータは、リセットデータＤrestや画像データＤが画像信号処理回路から出力されるときに、走査線駆動回路１３０やデータ線駆動回路１４０を制御するための各種タイミング信号を生成する。
【００４２】
このような電気泳動表示パネルＡにおいて、ある走査線信号Ｙｉがアクティブになると、ｉ番目の走査線１０１のＴＦＴ１０３がオン状態になる。このため、ｉ番目の走査線１０１のＴＦＴ１０３に接続された画素電極１０４にデータ線信号Ｘ１…Ｘｎが供給される。一方、対向基板２００の共通電極２０１には図示しない電源回路から共通電極電圧Ｖｃｏｍが印加されるようになっている。これにより、画素電極１０４と共通電極２０１との間に電位差が生じ、分散系１０中の電気泳動粒子１２が泳動して画像データＤに応じた階調が画素毎に表示される。
【００４３】
また、電気泳動粒子１２を泳動させた後、データ線信号Ｘ１…Ｘｎには共通電極電圧Ｖｃｏｍが印加される。この場合、画素電極１０４と共通電極２０１とが等電位になり、電気泳動粒子１２は泳動を停止する。この結果、表示濃度は一定の値となる。なお、一水平期間で完結する高速動作する電気泳動表示装置の場合も、ｎフィールド（ｎ垂直期間）で完結するような低速な電気泳動表示装置の場合も同様である。
【００４４】
このコントローラ３００には、さらに図３に示すように第１フィールドメモリ３１０、第２フィールドメモリ３１１及び選択部３１２を含んで構成されている。まず、第１のデータとしての画像データＤは、第１フィールドメモリ３１０に記録される。そして、新たな書込を行なうために、第２のデータとしての画像データＤが生成された場合、第１フィールドメモリ３１０に記録されていた画像データＤは第２フィールドメモリ３１１に転写され、第１のデータとして記録される。そして、新しく生成された画像データＤは、第２のデータとして第１フィールドメモリ３１０に記録される。
【００４５】
図示しない制御部から選択部３１２には、画素毎に対応したリセット書込選択信号が入力される。リセット書込選択信号により選択されていない画素に書込を行なう場合には、第１フィールドメモリ３１０に記録された第２のデータと、第２フィールドメモリ３１１に記録された第１のデータとの差分データを生成し、出力する。一方、リセット書込選択信号により選択された画素に書込を行なう場合には、リセットデータＤrestの出力を行なった後、第１フィールドメモリ３１０に記録された第２のデータとしての画像データＤの出力を行なう。
【００４６】
図４は、画像データＤに基づいて出力された階調電圧の様子を用いて説明する。ここでは電圧変調（ＡＭ）による例を示すが、もちろんパルス幅変調（ＰＷＭ）の手段を用いてもよい。画素に対して画像表示のためのデータ処理には、第１の表示処理と第２の表示処理とがある。第１の表示処理は、先の表示処理に用いた第１のデータとして画像データＤと、次の表示処理に用いる第２のデータとしての画像データＤとの差分データを算出し、差分データに基づいて表示する処理である。一方、第２の表示処理は、リセット処理後に、次の表示処理に用いる第２のデータとしての画像データＤに基づいて表示する処理である。
【００４７】
ここで、Ｖ１〜Ｖ（ｎ）はリセット後に階調表示を行なうために必要な階調電圧を示している。一方、Ｖｄ１〜Ｖｄ（ｎ）は画素に印加される差分電圧を示している。まず、書込期間ｔ１においては、第２の表示処理の対象として第２の画素として選択され、リセット書込選択がなされる場合を想定する。この画素の階調を表示させるために階調電圧Ｖ１を印加する場合、まず、この画素にはリセット電圧Ｖrestが印加される。これにより、この画素を構成する分散系１０中の電気泳動粒子１２は空間的に初期化される。次に、差分電圧Ｖｄ１が印加される。この場合、第２フィールドメモリ３１１には擬似的に初期状態の画像データＤが記録されている。その結果、差分電圧Ｖｄ１として階調電圧Ｖ１が用いられる。
【００４８】
次に書込期間ｔ２において、この画素はリセット書込選択の対象からはずれた場合であり、第１の表示処理の対象として第１の画素として機能する。従って、第１フィールドメモリ３１０、第２フィールドメモリ３１１に記録された画像データＤに基づいて生成された差分電圧Ｖｄ２が画素に印加される。この差分電圧Ｖｄ２は、階調電圧Ｖ２から階調電圧Ｖ１を差し引いた電圧となる。リニアでない電圧−表示濃度特性の場合は補正量演算が必要であるが、ここでは説明を容易にするためにリニアな電圧−表示濃度特性として説明している。このようにして、次にリセット書込選択がなされる書込期間ｔ（ｎ）までの書込期間ｔ（ｉ）は、この画素には差分電圧Ｖｄ（ｉ）としてＶ（ｉ）−Ｖ（ｉ−１）が印加される。そして、再度、書込期間ｔ（ｎ）においてリセット書込選択がなされた場合、この画素にはリセット電圧Ｖrestが印加され、次に差分電圧Ｖｄ（ｎ）として階調電圧Ｖ（ｎ）が印加される。なお、画素に差分電圧Ｖｄ（ｎ）が印加されてから所定時間経過後には、上述したように各画素には共通電極電圧Ｖｃｏｍが印加される。
【００４９】
（電気泳動表示装置の動作）
次に、図５を用いて電気泳動表示装置２０の動作について説明する。まず、電気泳動表示装置２０の電源がオフ状態からオン状態に切り替わると、コントローラ３００や電気泳動表示パネルＡに駆動電源が供給される。そして、コントローラ３００はリセット動作を実行する（Ｓ１−１）。具体的には、電源がオンされてから所定期間が経過し、回路動作が安定した時刻において、コントローラ３００は、リセットデータＤrestを所定期間にわたって出力する。この場合、データ線駆動回路１４０が、リセットデータＤrestに基づいてリセット電圧Ｖrestを各データ線１０２に出力する。同時に、走査線駆動回路１３０が各走査線１０１を順次選択することにより、画素電極１０４にリセット電圧Ｖrestが供給される。この結果、電気泳動粒子１２が画素電極１０４側に引き寄せられ、空間的な状態が初期化される。
【００５０】
次に、コントローラ３００は書込動作を開始する（Ｓ１−２）。この書込期間にあっては、コントローラ３００は書込に必要な期間［一水平期間あるいは遅い応答速度の電気泳動素子の場合はｎフィールド（ｎ垂直期間）］にわたって画像データＤを出力する。各画素電極１０４には表示すべき階調に対応した階調電圧が書き込まれ、１枚の画像が完成する。そして、コントローラ３００は新たな書込指示を待つ（Ｓ１−３）。新たな書込指示があった場合（ステップ（Ｓ１−３）において「Ｙｅｓ」の場合）、コントローラ３００はリセット書込の対象となる画素の選択を行なう（Ｓ１−４）。この画素の選択はリセット書込選択信号を用いて行なわれる。リセット書込の対象となる画素に対しては、リセット処理後、書込のための階調電圧の出力を行なう（Ｓ１−５）。一方、リセット書込選択された画素以外の画素に関しては、差分電圧の出力を実行する（Ｓ１−５）。
【００５１】
そして、保持動作を実行する（Ｓ１−６）。この動作は、直前に書き込まれた画像を保持する期間であり、その長さは任意に設定できる。この期間において、画像信号処理回路は動作を停止し、画素電極１０４と共通電極２０１との間には電界が発生しない。電界がなければ電気泳動粒子１２は移動せず、空間的状態を保持する。従って、この保持期間にあっては、静止画像が表示されることになる。そして、ステップ（Ｓ１−３）〜（Ｓ１−６）の動作は、電源が切るまで繰り返される（Ｓ１−７）。
【００５２】
次に、図６に示す画素配置５００を用いてリセット書込処理を説明する。ここでは、簡単のために、ここでは４つの画素（Ｐ１〜Ｐ４）に注目して説明する。図６に示すように隣接する画素（Ｐ１〜Ｐ４）に対応してリセット書込選択信号が選択部３１２に入力される。本実施形態では、画素（Ｐ１〜Ｐ４）に対応したリセット書込選択信号が所定周期で、それぞれ異なる時刻に生成される場合を想定する。まず、時刻Ｔ０の書込時に画素Ｐ１を選択するリセット書込選択信号が入力される。この場合、画素Ｐ１に対してはリセット電圧Ｖrestが印加された後、書込電圧が印加されるリセット書込が行なわれる。一方、その他の画素（Ｐ２〜Ｐ４）には、差分電圧が印加される差分書込が行なわれる。この結果、時刻Ｔ０の書込時には図７の書込動作表示５０１のようにリセット書込と差分書込とが実行される。
【００５３】
次に、時刻Ｔ０〜Ｔ１の間は、画素（Ｐ１〜Ｐ４）に対するリセット書込選択は行なわれない。このため、図７の書込動作表示５０２のように画素（Ｐ１〜Ｐ４）においては、すべて差分電圧による書込が実行される。次に、時刻Ｔ１の書込時に画素Ｐ２に対応するリセット書込選択信号が入力される。この場合、画素Ｐ２に対してはリセット電圧Ｖrestが印加された後、書込電圧が印加される。一方、その他の画素（Ｐ１、Ｐ３、Ｐ４）には、差分電圧が印加される。この結果、時刻Ｔ１の書込時には図７の書込動作表示５０３のようにリセット書込と差分書込とが実行される。
【００５４】
同様に、時刻Ｔ２、時刻Ｔ３の書込時には図６のリセット書込選択信号に対応して、図７の書込動作表示５０５、書込動作表示５０７のようにリセット書込と差分書込とが実行される。この場合にはそれぞれ画素Ｐ３、画素Ｐ４に対してリセット書込処理が行なわれる。そして、時刻Ｔ１〜Ｔ２、Ｔ２〜Ｔ３、Ｔ３〜Ｔ４の間は、図７の書込動作表示（５０４、５０６、５０８）のように、画素（Ｐ１〜Ｐ４）のすべての画素に対して差分書込が実行される。このように、空間的に分散された画素（Ｐ１〜Ｐ４）に対して、異なる期間にリセット書込処理が実行される。
【００５５】
以上、本実施形態によれば、以下に示す効果を得ることができる。
【００５６】
・  上記実施形態では、リセット書込の選択されていない画素に対しては差分書込が行なわれる。このため、連続的な階調表示を行なうことができる。一方、リセット書込選択がなされた画素に対しては、まずリセット電圧Ｖrestが印加される。これにより、この画素を構成する分散系１０中の電気泳動粒子１２は空間的に初期化される。次に、階調電圧が印加される。このため、差分書込によって生じたドリフトを補正でき、より正確な表示を行なうことができる。
【００５７】
・  上記実施形態では、空間的に分散された画素に対してリセット書込処理が実行される。すなわち、近隣の画素に対しては異なる期間にリセット処理が実行される。同時に、近隣画素や全体の画素をリセットした場合、不連続的な表示濃度の変化が大きくなる。この場合、人間の目に電気泳動粒子の初期化に伴う濃度変化が検知されることもある。上記実施形態では、空間的、時間的に分散してりセット書込処理が行なわれるため、電気泳動粒子の初期化に伴う不連続的な表示濃度の変化を抑制できる。従って、人間の目に検知されず効率的にドリフト補正を行なうことができる。
【００５８】
（第２の実施形態）
次に、第１の実施形態で説明した電気光学装置としての電気泳動表示装置を搭載した電子機器の適用について説明する。
【００５９】
ここでは、電気泳動表示装置を電子書籍に適用した例について説明する。図８は、この電子書籍を示す斜視図である。図において、電子書籍１０００は、電気泳動表示パネル１００１、電源スイッチ１００２、第１ボタン１００３、第２ボタン１００４、およびＣＤ−ＲＯＭスロット１００５を備えている。
【００６０】
利用者が電源スイッチ１００２を押して、ＣＤ−ＲＯＭスロット１００５にＣＤ−ＲＯＭを装着すると、ＣＤ−ＲＯＭの内容が読み出され、電気泳動表示パネル１００１にメニューが表示される。利用者が第１ボタン１００３と第２ボタン１００４を操作して、所望の書籍を選択すると電気泳動表示パネル１００１に第１頁が表示される。頁を進める場合には第２ボタン１００４を押し、頁を戻す場合には第１ボタン１００３を押す。
【００６１】
この電子書籍１０００にあっては、書籍の内容を表示した後は、第１ボタン１００３および第２ボタン１００４を操作したときだけ表示画面を更新する。上述したように電気泳動粒子１２は電界が印加されなければ泳動しない。換言すれば、表示画像を維持するためには給電が不要である。このため、表示画面を更新するときだけ、駆動回路に電圧を印加して電気泳動表示パネル１００１を駆動している。この結果、液晶表示装置と比較して消費電力を大幅に削減することができる。
【００６２】
また、電気泳動表示パネル１００１の表示画像は、電気泳動粒子１２によって表示されるので、表示画面が光ることがない。したがって、電子書籍１０００は印刷物と同様の表示が可能であり、これを長時間読んでも目の疲労が少ないといった利点がある。
【００６３】
なお、電子機器としては、図８を参照して説明した他にも、パーソナルコンピュータ、屋外の標識、カーナビゲーション装置、電子手帳、電卓、携帯電話、ワードプロセッサ、ワークステーション、ＰＯＳ端末、タッチパネルを備えた機器等などが挙げられる。そして、これらの各種電子機器に対して、各実施形態の電気光学装置は適用可能である。電気泳動表示装置を、これらの機器に適用した場合でも、前記実施形態と同様な効果を発揮する。透過型・半透過型の液晶表示装置で必要とされるバックライトが不要であるため、各電子機器を小型軽量化することができる。そして、その消費電力を大幅に削減することが可能である。その結果、各機器は、低消費電力と十分な表示品位の両立を実現することができる。
【００６４】
なお、上記実施形態は、以下の態様に変更してもよい。
【００６５】
・  上記第１の実施形態では、画素（Ｐ１〜Ｐ４）に対応したリセット書込選択信号が所定周期で生成される場合を想定する。従って、画素（Ｐ１〜Ｐ４）は、周期的にはリセット書込処理が行なわれる。これに代えて、各画素に対してランダムにリセット書込処理を実行してもよい。この場合、コントローラ３００は乱数を生成し、所定期間内にリセット書込処理が実行されるように画素を選択する。これにより、リセット処理による不連続的な表示濃度の変化を抑制しながら、電気泳動粒子１２のドリフト補正を行なうことができる。
【００６６】
・  上記第１の実施形態では、画素（Ｐ１〜Ｐ４）に対応したリセット書込選択信号が、所定周期で生成される場合を想定する。従って、画素（Ｐ１〜Ｐ４）は、周期的にはリセット書込処理が行なわれる。これに代えて、各画素に対応する画像データＤに基づいてリセット書込処理を実行してもよい。具体的には、各画素に対応する画像データＤの中に初期状態（また初期状態に近い状態）にするためのデータが含まれている場合、コントローラ３００は差分電圧では無く、階調電圧を画素に印加する。これにより、この画素に対してはリセット書込処理を行なった場合と同様にドリフト補正を行なった効果を得ることができる。従って、リセット書込処理の回数を削減し、かつ不連続的な表示濃度の変化を抑制しながら効率的にドリフト補正を行なうことができる。
【００６７】
・  上記第１の実施形態では、リセット書込処理を実行する場合、リセット電圧Ｖrestを印加する。これにより、分散系１０中を泳動している電気泳動粒子１２を一方の電極側に引き寄せ、その空間的な状態を一極性の初期化を行なう。これに代えて、同時に複数の画素に対してリセット書込処理に行なう場合、両方の電極側へ引き寄せる初期化（極性の異なるリセット処理）を織り交ぜて実行してもよい。具体的には、この場合、第２フィールドメモリ３１１には、反対側の電極側に電気泳動粒子１２を引き寄せるためのデータを記録しておくことにより、差分電圧を生成できる。これにより、リセット書込処理によるドリフト補正時の表示濃度変化が相殺されることになり、リセット処理による表示濃度の不連続的な変化を抑制しながら効率的にドリフト補正を行なうことができる。
【００６８】
・  上記第１の実施形態では、各画素に差分電圧を印加する差分書込を実行する。これに代えて、差分書込時に、極性の異なる単位電圧を必要な時間だけ印加するようにしてもよい。具体的には、コントローラ３００が、電気泳動粒子１２を移動させる方向と、この移動に要する時間を算出する。そして、極性の異なる単位電圧を、算出した時間だけ印加する。これにより、差分により電気泳動粒子１２のドリフトを制御することができる。
【００６９】
・  上記第１の実施形態では、書込期間ｔ１〜書込期間ｔ（ｎ）に、リセット電圧Ｖrest及び差分電圧の印加を行なう。これに代えて、複数のサブフィールドに分けて処理を行なってもよい。これにより、遅い応答速度の電気泳動素子にも適用できる。
【００７０】
・  上記第１の実施形態では、書込期間ｔ１や書込期間ｔ（ｎ）に、リセット電圧Ｖrest及び階調電圧の印加を行なう。これに代えて、リセット処理を行なう期間と表示処理を行なう期間とを分けてもよい。例えば、図９に示すように、前フレーム期間としての書込期間ｔ１はリセット処理のみを行なう。この場合、後フレーム期間としての書込期間ｔ２〜書込期間ｔ（ｎ−１）に表示処理を行なう。ここで、書込期間ｔ２では差分電圧Ｖｄ２として階調電圧Ｖ２が用いられる。そして、書込期間ｔ３〜書込期間ｔ（ｎ−１）における書込期間ｔ（ｉ）では、差分電圧Ｖｄ（ｉ）としてＶ（ｉ）−Ｖ（ｉ−１）が印加される。このように、連続的な表示（例えば、２０ｍｓ以下の動画、スクロール表示等）を行なうために１フレームの期間を短くした場合には、書込期間ｔ１の階調電圧による表示処理を省略して、書込期間ｔ２以降に階調電圧による表示処理を行なう。
【００７１】
この場合、図５のステップ（Ｓ１−５）においては、リセット書込の対象として選択された画素に対してはリセット処理のみを行なう。そして、ステップ（Ｓ１−６）の保持動作に入る前に、静止画として完成された画面を得るために、リセット処理後の書込処理を行なう。
【００７２】
これらの処理を、図７に対応させて説明する。時刻Ｔ０の書込時に画素Ｐ１を選択するリセット書込選択信号が入力された場合、画素Ｐ１に対してはリセット電圧Ｖrestが印加されるリセット書込が行なわれる。時刻Ｔ０のリセット書込後の書込動作表示５０２では、画素Ｐ１に対して差分電圧ではなく階調電圧が印加される。その後はすべて差分電圧による書込が実行される。
【００７３】
以下、画素（Ｐ２〜Ｐ４）に対しても、時刻（Ｔ１〜Ｔ３）においては、リセット電圧Ｖrestが印加された後、階調電圧を印加しないリセット書込が行なわれる。そして、次の書込動作表示（５０４、５０６、５０８）において、それぞれの画素（Ｐ２〜Ｐ４）には差分電圧ではなく階調電圧が印加され、その後はすべて差分電圧による書込が実行される。これにより、同一画素に対してリセット処理と表示処理とを連続して行なう必要がなく、時間的マージンが生まれ、回路構成を簡素にすることができる。
【００７４】
・  上記第１の実施形態では、新たな書込を行なうために、第２のデータとしての画像データＤが生成された場合、第１フィールドメモリ３１０に記録されていた画像データＤは第２フィールドメモリ３１１に転写され、第１のデータとして記録される。そして、新しく生成された画像データＤは、第２のデータとして第１フィールドメモリ３１０に記録される。これに代えて、転写を行なわずに、第１フィールドメモリ３１０と第２フィールドメモリ３１１をフィールド毎に定義も含めて切替えて記録してもよい。
【００７５】
・  上記実施形態では、白黒表示の電気泳動表示装置について説明した。この電気泳動表示パネルＡは、フルカラー表示にも応用できる。この場合には、各画素において原色（ＲＧＢ）のうち１色を表示できるようにするため、分散系１０としては、赤色、緑色、青色に対応する３種類を用いる。すなわち、電気泳動粒子１２として表示色を反射するものを用いる一方、分散媒１１として表示色を吸収する色（補色）に対応したものを用いる。この場合にも、印加する電界の強度によって、分散系１０における電気泳動粒子１２の分布を制御でき、カラー表示可能な電気泳動表示装置を提供できる。
【図面の簡単な説明】
【図１】  第１の実施形態の分割セルの構造を示す断面図
【図２】  電気泳動装置の回路構成を示すブロック回路図。
【図３】  画像信号処理回路のブロック図。
【図４】  書込動作におけるタイミングチャート。
【図５】  電気泳動装置の処理フロー図。
【図６】  リセット書込選択信号のタイミングチャート。
【図７】  書込表示の説明図。
【図８】  電子機器の一例たる電子書籍の概観斜視図。
【図９】  書込動作におけるタイミングチャート。
【符号の説明】
Ａ…電気泳動表示パネル
１０…分散系
１２…電気泳動粒子
２０…電気光学装置としての電気泳動表示装置
１０３…スイッチング素子としてのＴＦＴ
１０４…画素電極
２０１…共通電極
３００…制御手段としてのコントローラ
Ｐ１，Ｐ２，Ｐ３，Ｐ４…画素
【図１】
0003716823.tif 000002
【図２】
0003716823.tif 000003
【図３】
0003716823.tif 000004
【図４】
0003716823.tif 000005
【図５】
0003716823.tif 000006
【図６】
0003716823.tif 000007
【図７】
0003716823.tif 000008
【図８】
0003716823.tif 000009
【図９】
0003716823.tif 000010